(57)【要約】【課題】きめ細かく閲覧者の意図や嗜好を把握し、最も適した広告を適切に表示させる方法及びシステムを提供する。【解決手段】  サーバ２０が、端末１０から受信した第１のＷｅｂページデータ（ニュースサイト等のＷｅｂページ）に関するデータから、所定のキーワードを検索し、検索の結果、サーバ２０が、所定のキーワードと一致するキーワードであるプロパティデータを前記端末に送信し、端末１０が、プロパティデータに基づいて前記の一致するキーワードに係る文字列に関連付けを表示し、前記の一致するキーワードに係る文字列が選択されたことに応じて、サーバ２０が、サーバ２０にあらかじめ記憶され、キーワードと関連付けられた広告データを端末１０に送信し、端末１０が、広告データを表示する。【選択図】図４
2009163388.tif 000002
【特許請求の範囲】
【請求項１】
通信ネットワークを介して、サーバと、端末と、外部プロパティサーバと、が互いに通信可能に接続されたシステムにて、前記サーバが前記端末に広告データを表示させる方法において、
前記外部プロパティサーバが、要求に応じて前記端末に外部プロパティのＷｅｂページである第１のＷｅｂページデータに関するデータを送信するステップと、
前記端末が、前記第１のＷｅｂページデータに関するデータを受信したことに応じて、前記サーバに前記第１のＷｅｂページデータに関するデータを送信するステップと、
前記サーバが、前記端末から受信した前記第１のＷｅｂページデータに関するデータから、所定のキーワードを検索するステップと、
前記検索の結果、前記サーバが、前記所定のキーワードと一致するキーワードであるプロパティデータを前記端末に送信するステップと、
前記端末が、前記プロパティデータに基づいて前記の一致するキーワードに係る文字列に関連付けを表示するステップと、
前記の一致するキーワードに係る文字列が選択されたことに応じて、前記サーバが、前記サーバにあらかじめ記憶され、前記キーワードと関連付けられた広告データを前記端末に送信するステップと、
前記端末が、前記広告データを表示するステップと、を含む方法。
【請求項２】
前記広告データを前記端末に送信するステップでは、前記の一致するキーワードに係る文字列が選択されたことに応じて、前記キーワードに係る第２のＷｅｂページを送信し、
前記端末が、前記第２のＷｅｂページを表示するステップと、を含む請求項１に記載の方法。
【請求項３】
前記キーワードを検索するステップは、前記サーバが前記第1のＷｅｂページデータに関するデータを形態素解析して、所定のキーワードを選択することをさらに含む、請求項１又は２に記載の方法。
【請求項４】
前記キーワードを検索するステップは、前記サーバが前記第1のＷｅｂページデータに関するデータ中の形態素解析により言語構成を分析し、前記第１のＷｅｂページがブログ・ページであるか否かを判定し、ブログ・ページの場合には前記登録されたキーワードと一致する略全ての文字列に係るプロパティデータを送信し、当該ブログ・ページ以外のページの場合には、第1のＷｅｂページデータに関するデータ中の所定の文字列にのみ係るプロパティデータを送信することをさらに含む、請求項１から３のいずれか１項に記載の方法。
【請求項５】
前記プロパティデータが複数のファイルを含み、前記第２のＷｅｂページとして、表示されるデフォルト画面が、前記複数のファイルから選択されることをさらに含む、請求項２に記載の方法。
【請求項６】
前記複数のファイルからの選択は、ユーザーの検索履歴又は前記キーワードの検索実績に基づく優先順位に従い実行される、請求項５に記載の方法。
【請求項７】
通信ネットワークを介して、サーバと、端末と、外部プロパティサーバと、が互いに通信可能に接続された広告表示システムにおいて、
前記外部プロパティサーバが、要求に応じて前記端末に外部プロパティのＷｅｂページである第1のＷｅｂページデータに関するデータを送信し、
前記端末が、前記第1のＷｅｂページデータに関するデータを受信したことに応じて、前記サーバに前記第１のＷｅｂページデータに関するデータを送信し、
前記サーバが、前記端末から受信した前記第１のＷｅｂページデータに関するデータから、所定のキーワードを検索し、
前記検索の結果、前記サーバが、前記所定のキーワードと一致するキーワードであるプロパティデータを前記端末に送信し、
前記端末が、前記プロパティデータに基づいて前記の一致するキーワードに係る文字列に関連付けを表示し、
前記の一致するキーワードに係る文字列が選択されたことに応じて、前記サーバが、前記サーバにあらかじめ記憶され、前記キーワードと関連付けられた広告データを前記端末に送信し、
前記端末が、前記広告データを表示する、広告表示システム。
【発明の詳細な説明】
【技術分野】
【０００１】
本発明は、広告データを表示する方法及びシステムに関する。特に、Ｗｅｂページ上の文字列に基づいて、最も関連した広告データを表示する方法及びシステムに関する。
【背景技術】
【０００２】
従来、インターネットにおける広告は、Ｗｅｂページ内のあらかじめ決められた場所にあらかじめ決められた内容が表示されるものが主流であった。このような態様の広告方法では、閲覧しているＷｅｂページの内容と関係ない商品やサービスの広告が表示されることがあり、必ずしも広告の訴求効果を十分に活用しているとは言い難いものであった。また、同一のＷｅｂページを閲覧していても、一定時間経過ごとに異なる広告を表示するシステムも提案され、実際に提供されているが、かかるシステムにおいても、複数の広告を適宜入れ替えて表示しているに過ぎず、Ｗｅｂページに表示されたコンテンツに密接な関係があり、閲覧者に対し大きな訴求効果を有する広告を適時適切に表示することは困難であった。
【０００３】
閲覧中のＷｅｂページの内容に関連した広告を表示させる試みとして、前記Ｗｅｂページ中のキーワードに関連つけられた広告を表示する方法が提案された。例えば、特許文献１によれば、ユーザーが検索するためのキーワードを登録し、前記登録されたキーワードに該当する文字列を検索して、前記文字列にバルーンヘルプ形式の広告と、ハイパーリンクを付加した広告方法が提供されている。この方法によれば、所望の場合にのみユーザーが、例えばマウス等によりキーワードを選択することにより、バルーンヘルプ形式の広告を閲覧又はハイパーリンクにより広告主のＷｅｂページを閲覧することができる。このため、視聴者は、Ｗｅｂページ閲覧中に見たくない広告を見る必要がなくなる。また、広告主としては、キーワードに関連付けて広告を表示させることができるため、広告の訴求効果の改善を期待することができる。
【０００４】
広告主としては、広告の訴求効果は、広告の費用対効果を検討する上で重要なファクターである。広告の訴求効果は、単に広告の露出度から判断できるものではない。広告の訴求効果を確認するためには、例えば特許文献２に開示されるように、広告主サイトにおいてアクセスしてきたブラウザから取得したトラッキング情報を記録すると共に、このブラウザとの以後の通信を周知のＣｏｏｋｉｅ等を使ってセッション管理し、セッション継続中に発生したトランザクションの内容に基づく成果までを広く把握する必要がある。
【特許文献１】特開２００２−３１２６６８号公報
【特許文献２】特開２００６−４８４３０号公報
【発明の開示】
【発明が解決しようとする課題】
【０００５】
しかしながら、特許文献１に開示されたように、Ｗｅｂページ上のコンテンツに関連付けた広告を表示するだけでは、閲覧者の意図や嗜好を十分に把握した上で最も適切な広告を表示しているとは言い難いため、広告の訴求効果を改善する余地が存在する。
【０００６】
そこで、本願発明は、よりきめ細かく閲覧者の意図や嗜好を把握し、閲覧者にとって最も適した広告を適切に表示させる方法及びシステムを提供することを目的とする。
【課題を解決するための手段】
【０００７】
本発明者は、具体的には次に記載するものを提供する。
【０００８】
（１）通信ネットワークを介して、サーバと、端末と、外部プロパティサーバと、が互いに通信可能に接続されたシステムにて、前記サーバが前記端末に広告データを表示させる方法において、
前記外部プロパティサーバが、要求に応じて前記端末に外部プロパティのＷｅｂページである第１のＷｅｂページデータに関するデータ（例えば、図６の第１のＷｅｂページ６１０のデータ）を送信するステップと、
前記端末が、前記第１のＷｅｂページデータに関するデータを受信したことに応じて、前記サーバに前記第１のＷｅｂページデータに関するデータを送信するステップと、
前記サーバが、前記端末から受信した前記第１のＷｅｂページデータに関するデータから、所定のキーワードを検索するステップと、
前記検索の結果、前記サーバが、前記所定のキーワードと一致するキーワードであるプロパティデータ（例えば、図４のＳ４５０参照）を前記端末に送信するステップと、
前記端末が、前記プロパティデータに基づいて前記の一致するキーワードに係る文字列に関連付けを表示するステップと、
前記の一致するキーワードに係る文字列が選択されたことに応じて、前記サーバが、前記サーバにあらかじめ記憶され、前記キーワードと関連付けられた広告データ（例えば、図６の広告画面６５０のためのデータ）を前記端末に送信するステップと、
前記端末が、前記広告データを表示するステップと、を含む方法。
【０００９】
（１）の発明によれば、外部プロパティサーバが、要求に応じて前記端末に外部プロパティのＷｅｂページである第１のＷｅｂページデータに関するデータを送信し、端末が、第１のＷｅｂページデータに関するデータを受信したことに応じて、サーバに第１のＷｅｂページデータに関するデータを送信し、サーバが、端末から受信した第１のＷｅｂページデータに関するデータから、所定のキーワードを検索し、検索の結果、サーバが、所定のキーワードと一致するキーワードに係るプロパティデータを端末に送信し、端末が、プロパティデータに基づいて前記の一致するキーワードに係る文字列に関連付けを表示し、前記の一致するキーワードに係る文字列が選択されたことに応じて、サーバが、サーバにあらかじめ記憶され、キーワードと関連付けられた広告データを端末に送信し、端末が、広告データを表示する。
【００１０】
すなわち、閲覧者は、外部プロパティサーバから送信された第１のＷｅｂページ（例えば、ニュースに関するＷｅｂページ等）を視認している際に、端末が、所定のキーワードに係る文字列に関連付けを表示する。そして、閲覧者が、この表示された文字列を視認して、端末を操作して、所定のキーワードを（マウスクリック又はマウスオーバー等で）選択したことに応じて、サーバが、このキーワードに関連付けられた広告データを表示する。
よって、閲覧者による文字列の選択に応じて、文字列に関連した広告が表示され、閲覧者の意図や嗜好に基づき閲覧者にとって適切な広告データが端末に表示されることとなり、広告の訴求効果を改善することができる。
【００１１】
なお、所定のキーワードは、広告主等が任意に設定してもよいし、検索履歴等統計的な手法に基づいて設定してもよい。
【００１２】
（２）前記広告データを前記端末に送信するステップでは、前記の一致するキーワードに係る文字列が選択されたことに応じて、前記キーワードに係る第２のＷｅｂページ（例えば、図６の第２のＷｅｂページ６３０、解説データ等）を送信し、前記端末が、前記第２のＷｅｂページを表示するステップと、を含む（１）に記載の方法。
【００１３】
（２）の構成によれば、（１）の構成に加えて、広告データを端末に送信する際に、前記の一致するキーワードに係る文字列が選択されたことに応じて、キーワードに係る第２のＷｅｂページを送信し、端末が、第２のＷｅｂページを表示する。
【００１４】
よって、閲覧者による文字列の選択に応じて、閲覧者が求める第２のＷｅｂページとなる情報（例えば、第１のＷｅｂページが辞書サービスを行うサイトであれば、文字列の解説を含む情報）が、選択した文字列に関連した広告データとともに、表示されるため、（１）の発明により、さらに、閲覧者の意図や嗜好に基づき閲覧者にとって最適な広告が表示されることとなり、広告の訴求効果を改善することができる。
【００１５】
（３）前記キーワードを検索するステップは、前記サーバが前記第１のＷｅｂページデータに関するデータを形態素解析して、所定のキーワードを選択することをさらに含む、（１）又は（２）に記載の方法。
【００１６】
（３）の構成によれば、前記サーバは、前記第１のＷｅｂページデータに関するデータを形態素解析して、所定のキーワードを選択することにより、キーワード検索を実現する。
【００１７】
これにより、キーワード検索の精度を、さらに向上することができる。
【００１８】
（４）前記キーワードを検索するステップは、前記サーバが前記第１のＷｅｂページデータに関するデータ中の形態素解析により言語構成を分析し、前記第１のＷｅｂページがブログ・ページであるか否かを判定し、ブログ・ページの場合には前記登録されたキーワードと一致する全ての文字列に係るプロパティデータを送信し、当該ブログ・ページ以外のページの場合には、第２のＷｅｂページデータ中の所定の文字列にのみ係るプロパティデータを送信することをさらに含む、（１）から（３）のいずれか１項に記載の方法。
【００１９】
（４）の構成によれば、前記サーバは、前記第２のＷｅｂページデータ中の形態素解析により言語構成を分析し、前記第１のＷｅｂページがブログ・ページであるか否かを判定し、ブログ・ページの場合には前記登録されたキーワードと一致する全ての文字列に係るプロパティデータを送信し、当該ブログ・ページ以外のページの場合には、第１のＷｅｂページデータに関するデータ中の所定の文字列にのみ係るプロパティデータを送信することにより、キーワード検索を実現する。
【００２０】
（５）前記プロパティデータが複数のファイルを含み、前記第２のＷｅｂページとして、表示されるデフォルト画面が、前記複数のファイルから選択されることをさらに含む、（２）に記載の方法。
【００２１】
（５）の構成によれば、前記プロパティデータは複数のファイルを含み、前記サーバは、前記端末に選択されることに応じて表示されるＷｅｂページのうち通常表示されるデフォルト画面を、前記複数のファイルから選択する。
【００２２】
ここで、デフォルト画面とは、前記端末に選択されることに応じて表示されるＷｅｂページのうち通常表示される画面であって、前記複数のファイルから任意に又は所定の決まりによって選択することができる。前記所定の決まりについては後述する。
【００２３】
これにより、閲覧者の意図や嗜好を一層強く反映した画面を、デフォルト画面として表示することができ、広告の訴求効果を改善することができる。
【００２４】
（６）前記複数のファイルからの選択は、ユーザーの検索履歴又は前記キーワードの検索実績に基づく優先順位に従い実行される、（５）に記載の方法。
【００２５】
（６）の構成によれば、前記サーバは、前記複数のファイルからの選択を、ユーザーの検索履歴又は前記キーワードの検索実績に基づく優先順位に従い実行する。
【００２６】
また、前記優先順位は、端末、サーバの記憶部又は外部プロパティサーバの記憶部に記憶された、検索履歴、閲覧履歴、キーワードの検索実績等でよい。
【００２７】
これにより、（５）の効果を一層向上することができる。
【００２８】
（７）通信ネットワークを介して、サーバと、端末と、外部プロパティサーバと、が互いに通信可能に接続された広告表示システムにおいて、
前記外部プロパティサーバが、要求に応じて前記端末に外部プロパティのＷｅｂページである第１のＷｅｂページデータに関するデータを送信し、
前記端末が、前記第１のＷｅｂページデータに関するデータを受信したことに応じて、前記サーバに前記第１のＷｅｂページデータに関するデータを送信し、
前記サーバが、前記端末から受信した前記第１のＷｅｂページデータに関するデータから、所定のキーワードを検索し、
前記検索の結果、前記サーバが、前記所定のキーワードと一致するキーワードであるプロパティデータを前記端末に送信し、
前記端末が、前記プロパティデータに基づいて前記の一致するキーワードに係る文字列に関連付けを表示し、
前記の一致するキーワードに係る文字列が選択されたことに応じて、前記サーバが、前記サーバにあらかじめ記憶され、前記キーワードと関連付けられた広告データを前記端末に送信し、
前記端末が、前記広告データを表示する、広告表示システム。
【００２９】
（７）の発明によれば、（１）に記載した方法の実行が可能になり、広告表示システムは、閲覧者の意図や嗜好に適合した広告を表示することができる。
【００３０】
本発明のこのような構成によれば、（１）と同様の作用・効果を奏する。
【発明の効果】
【００３１】
本願発明により、閲覧者の意図や嗜好に適合した広告を表示することが可能になり、前記広告の訴求効果を改善することができる。
【発明を実施するための最良の形態】
【００３２】
以下、本発明の実施形態について図面を参照して説明する。
【００３３】
図１は、本発明の好適な実施形態の一例に係るシステムの全体構成を示す図である。図２は、本発明の好適な実施形態の一例に係る端末１０、サーバ２０及び外部プロパティサーバ４０のハードウェア構成を示す図である。図３は、本発明の好適な実施形態の一例に係るシステムの機能構成を示す図である。図４は、本発明の好適な実施形態の一例に係る広告表示処理を示すフローチャートである。図５は、本発明の好適な実施形態の一例に係る第２のＷｅｂページデータに係るサイトテーブルの一例を示す図である。図６は、本発明の好適な実施形態の一例に係る端末１０の表示する表示画面の一例を示す図である。図７は、本発明の別の実施形態の一例に係るＷｅｂページを表示するためのサイトテーブルの一例を示す図である。図８（ａ）は、本発明の好適な実施形態の別の一例に係るサーバ２０にキーワード等を入力する画面の一例を示す図である。図８（ｂ）は、本発明の好適な実施形態の別の一例に係る端末１０の表示する第１のＷｅｂページ表示画面の一例を示す図である。図８（ｃ）は、本発明の好適な実施形態の別の一例に係る端末１０の表示する第２のＷｅｂページ表示画面の一例を示す図である。
【００３４】
図１に示すように、本発明の好適な実施形態の一例に係る広告表示システム１は、端末１０、サーバ２０、通信ネットワーク３０、及び外部Ｗｅｂサイトデータの供給元を管理するサーバである外部プロパティサーバ４０ａ、４０ｂ、４０ｃ・・・を含む。端末１０ａ、１０ｂ、１０ｃ・・・・は通信ネットワーク３０を介してサーバ２０及び外部プロパティサーバ４０ａ、４０ｂ、４０ｃ・・・と接続可能である。ここで、端末１０は、一般にクライアントと呼称されることがある。また、外部プロパティサーバ４０ａ、４０ｂ、４０ｃ・・・は任意の外部プロパティサーバを含むことができ、以下、これらをまとめて目的画像データの供給元を管理するサーバ４０又は外部プロパティサーバ４０と記載することがある。
［端末、サーバ、外部プロパティサーバのハードウェア構成］
【００３５】
図２に示すように、端末１０、サーバ２０及び外部プロパティサーバ４０は、制御部１１０、２１０、４１０、入力部１２０、２２０、４２０、表示部１３０、２３０、４３０、記憶部１４０、２４０、４４０及び通信インターフェイス部１５０、２５０、４５０がそれぞれバス１６０、２６０、４６０を介して接続されて構成される。
【００３６】
制御部１１０、２１０、４１０は、ＣＰＵ（Ｃｅｎｔｒａｌ  Ｐｒｏｃｅｓｓｉｎｇ  Ｕｎｉｔ）により構成してよく、それぞれ端末１０、サーバ２０、外部プロパティサーバ４０を制御し、例えば、記憶部１４０、２４０、４４０に記憶されたプログラムを読み出して実行することにより、これらのハードウェアと協働して後述する各種手段を実現している。
【００３７】
入力部１２０、２２０、４２０は、キーボード、マウス等により実現することができる。
【００３８】
表示部１３０、２３０、４３０は、液晶ディスプレイ、ブラウン管ＣＲＴ等により実現することができる。
【００３９】
端末１０の記憶部１４０、サーバ２０の記憶部２４０及び外部プロパティサーバ４０の記憶部４４０は、端末１０、サーバ２０及び外部プロパティサーバ４０がそれぞれ端末、サーバ及び外部プロパティサーバとして機能するための各種プログラム及び本発明の機能を実行するプログラム等を格納する。これらの記憶部１４０、２４０、４４０は、内部又は外部の記憶媒体に格納されてもよく、記憶媒体として、ハードディスク、光ディスク、磁気ディスク、光磁気ディスク、磁気テープ、メモリーカード等全ての記憶装置及び記憶媒体を使用することができる。
【００４０】
通信インターフェイス部１５０、２５０、４５０は、ＬＡＮアダプタ、モデムアダプタ等により実現することができる。
【００４１】
図３は、図２の記載のほか、図１で説明した本発明の好適な実施形態の一例に係る端末１０、サーバ２０及び外部プロパティサーバ４０（一例として４０ａ及び４０ｂ）の機能構成の一例を示す図である。
【００４２】
端末１０は、入力部１２０、表示部１３０、記憶部１４０、及び通信インターフェイス部１５０を備える。さらに、表示部１３０は、Ｗｅｂページ表示手段１３５を含んで構成されている。
【００４３】
サーバ２０は、プロパティデータ２４３及び第２のＷｅｂページプロパティデータ２４５を含む記憶部２４０のほか、通信インターフェイス部２５０を含んで構成される。さらに、第２のＷｅｂページプロパティデータ２４５は、解説２４５ａ、統計情報２４５ｂ、ランキング２４５ｃ、関連情報２４５ｄ、口コミ情報２４５ｅ、投資情報２４５ｆ等カテゴリー毎のコンテンツを含む。解説２４５ａは、用語解説（例えば、辞書等の用語の説明）に関するデータであり、統計情報２４５ｂは、統計情報に関するデータであり、ランキング２４５ｃは、所定の基準におけるランキングに関するデータであり、関連情報２４５ｄは、所定の事項に関連した事項に関するデータであり、口コミ情報２４５ｅは、所定の事項の口コミ情報に関するデータであり、投資情報２４５ｆは、投資に関する情報に関するデータである。また、広告データ２４６は、広告に関するデータである。これらのデータは、一つの記憶装置に記憶されても、複数の記憶装置に任意の組み合わせで記憶されてもよい。
【００４４】
外部プロパティサーバ４０は、ニュース、ブログ等の情報提供サイトを第１のＷｅｂページとして提供するサーバであってよい。外部プロパティサーバ４０ａ、４０ｂは、第１のＷｅｂページデータに関するデータである、Ｗｅｂページデータ４４５ａ、４４５ｂを格納する記憶部４４０ａ及び４４０ｂを備える。ここで、第１のＷｅｂページデータに関するデータとは、前述のように外部プロパティサーバ４０（４０ａ、４０ｂ、・・・）に記憶されたデータであって、送受信により端末１０に表示するためのデータである。前記第１のＷｅｂページデータに関するデータは、文字データ、画像データ、音楽データ等のコンテンツデータのほか、前記Ｗｅｂページを構成するために必要なプロパティデータ、スクリプト、プログラム等を含んでよい。
【００４５】
端末１０は、コンピュータとして実現した例で説明しているが、これに限らず、携帯電話、ＰＤＡ（Ｐｅｒｓｏｎａｌ  Ｄａｔａ  Ａｓｓｉｓｔａｎｔ）等の情報端末の表示装置や、Ｗｅｂテレビのようなネットワーク接続可能な情報表示装置で実現してもよい。
【００４６】
本発明の好適な実施形態の一例に係るシステムにおいて、図３に示す端末１０、サーバ２０及び外部プロパティサーバ４０は、前述のほか、以下に記載する機能を有する。
【００４７】
Ｗｅｂページ表示手段１３５は、サーバ２０から送信された第１又は第２のＷｅｂページデータの受信に基づき、それぞれのＷｅｂページを構成し、表示部１３０に出力する。Ｗｅｂページ表示手段は、Ｗｅｂブラウザ等のいかなる公知の手段を用いてもよい。
【００４８】
プロパティデータ２４３は、前記第１のＷｅｂページから、サーバ２０が記憶するキーワードを検索した結果一致したキーワードに関連した一連のデータを含むデータである。プロパティデータは、後述するサイトテーブルのように、キーワードごとにデータファイルが関連付けられてよい。また、前記プロパティデータに基づいてキーワードに、例えば、ハイパーリンクを設定し、前記キーワードがマウスクリックやマウスオーバーにより選択されることに応じて、関連付けられたデータを表示することができる。
【００４９】
第２のＷｅｂページプロパティデータ２４５は、前記プロパティデータ中で関連付けられたそれぞれのカテゴリーのコンテンツを含む。カテゴリーとは、第2のＷｅｂページの種類である。前記キーワードがマウスクリックやマウスオーバーにより選択されることに応じて、キーワードごとに関連付けられたカテゴリーのコンテンツが第２のＷｅｂページに表示される。前記カテゴリーは一つでも複数でもよい。例えば、カテゴリーが、「解説」の場合は、キーワードが選択されることに応じて、前記キーワードの意味が（辞書等の用語の説明として）表示される。
【００５０】
なお、カテゴリーの選択は、端末１０の入力部１２０の入力に応じて、選択されてよい。すなわち、第１のＷｅｂページに、カテゴリーを選択させるアイコンを設け、この選択されたアイコンの種類に応じて、カテゴリーを選択してよい。
【００５１】
さらに、カテゴリーの選択は、ユーザーの検索履歴又は前記キーワードの検索実績に基づく優先順位に従い実行されてよい。すなわち、サーバ２０又は外部プロパティサーバ４０に記憶されたユーザーの検索履歴又は前記キーワードの検索実績のデータに基づいて、選択の優先順位が決定してもよい。
【００５２】
Ｗｅｂページデータ４４５（ａ、ｂ、・・・）は、外部プロパティサーバ４０に記憶され、端末１０における選択に応じて第２のＷｅｂページとして端末１０に表示される任意のデータである。
【００５３】
図４は、本発明の好適な実施形態の一例に係る広告表示処理を示すフローチャートである。また、図６は、本発明の好適な実施形態の一例に係る端末１０の表示する表示画面の一例を示す図であって、下記の記載中において、適宜参照する。
【００５４】
まず、ステップＳ４０５において、端末１０の制御部１１０は、閲覧者がマウスクリック等により第１のＷｅｂページを選択することに応じて、外部プロパティサーバ４０ａ、ｂ・・・に対し第１のＷｅｂページの送信を要求する。
【００５５】
ステップＳ４７０において、外部プロパティサーバ４０の制御部４１０は、端末１０からの要求に応じて、Ｗｅｂページデータ４４５ａ、４４５ｂ・・・等を記憶部４４０ａ、４４０ｂ・・・から抽出し、第１のＷｅｂページデータに関するデータとして端末１０に送信する。
【００５６】
ステップＳ４１０において、端末１０の制御部１１０は、表示部１３０に第１のＷｅｂページ６１０を表示する。ここでは、第１のＷｅｂページ６１０の例として、「光ファイバー」に係るニュース記事からの解説を表示する。
【００５７】
ステップＳ４１５において、端末１０の制御部１１０は、前記第１のＷｅｂページデータに関するデータを受信したことに応じて、前記サーバに前記第１のＷｅｂページデータに関するデータを送信するとともにスクリプトを起動し、サーバ２０にキーワード検索を実行させる。ここでスクリプトは、サーバ２０から端末１０が受信してもよいし、端末１０における第１のＷｅｂページ要求に伴って、サーバ２０内のスクリプトを起動するようにあらかじめ設定しておいてもよい。さらに、外部プロパティサーバ４０ａ、ｂ・・・が前記スクリプトを有していてもよい。
【００５８】
ステップＳ４５０において、サーバ２０の制御部２１０は、前記スクリプトの起動に応じて、第１のＷｅｂページデータに関するデータ中の文字列に対し、あらかじめ記憶部２４０に記憶されたキーワードの検索を実行する。サーバ２０は、一致したキーワードをプロパティデータ２４３として記憶部２４０に記憶し、さらに端末１０に送信する。ここで、プロパティデータとは、予め記憶部２４０に記憶されたキーワードに一致する、第１のＷｅｂページデータに関するデータ中の文字列を解析することにより抽出されたキーワードに係るデータである。
【００５９】
ここで、サーバ２０の制御部２１０は、前記第１のＷｅｂページデータに関するデータ中の文字列の検索を実行する前に言語構成を解析する。用いられる言語解析方法は、形態素解析等の公知の手段でよく、同音異義語の判別、ブログ・ページとブログ・ページ以外、例えば記事ページ等との相違を判別する。また、あらかじめサーバ２０に記憶されるキーワードは、サーバ管理者や広告主等によって任意に設定され、キーワード検索プログラム内に格納されても、記憶部２４０内に任意の形式で記憶されてもよい。
【００６０】
なお、サーバ２０の制御部２１０は、第１のＷｅｂページがブログ・ページであるか否かを判定し、ブログ・ページの場合には登録されたキーワードと一致する全ての文字列に係るプロパティデータを送信し、当該ブログ・ページ以外のページの場合には、第２のＷｅｂページデータ中の所定の文字列にのみ係るプロパティデータを送信する態様であってもよい。
【００６１】
ステップＳ４２０では、端末１０の制御部１１０は、前記のプロパティデータに基づき、第２のＷｅｂページ中の文字列に、例えば、「光ファイバー」６１５のように、第２のＷｅｂページを読み込むためのリンク表示等の関連付けを表示する。ここで、前記リンク表示について、前記文字列を修飾する、例えば下線の有無、種類、フォントの種類、大きさ、色、太さ及びその他の修飾について、任意に設定することができる。さらに、前記リンク表示等の関連付けは、前記第２のＷｅｂページ中の全ての一致したキーワードについて関連付けを設定してもよいし、前記関連付けを設定するキーワード数を制限してもよい。前記キーワード数を設定する手段として、前記一致したキーワードの「３０％」、「２０キーワード」「同一ページに表示されるキーワードの出現数の上位１０キーワード」等キーワード数で制限してもよい。また、広告を前記キーワードに関連付ける権利を広告主にオークション等により販売し、例えば落札金額が「１０００円以上」とする等、任意の条件により設定してもよい。
【００６２】
ステップＳ４２５において、閲覧者がマウスオーバーやクリックによりリンク表示を選択すると、端末１０の制御部１１０は、サーバ２０に対し第２のＷｅｂページを要求する。前記第２のＷｅｂページは、独立したウインドウ形式のほか、バルーンヘルプ形式でもよい。また、前記要求がない場合には、ステップＳ４２５の処理に戻り、前記要求の入力を待つ。
【００６３】
ステップＳ４５５では、サーバ２０の制御部２１０は、第２のＷｅｂページを生成し、第２のＷｅｂページデータを端末１０に送信する。ここで、送信される第２のＷｅｂページは、サーバ２０において実際に閲覧できるように生成する必要はなく、前記Ｗｅｂページを構成するために必要なプロパティデータ、スクリプト、プログラム等の組み合わせでよい。具体的には、サーバ２０は図５に示すテーブルを参照して上述の処理を行う。
【００６４】
［第２のＷｅｂページサイトテーブル］
図５は、本発明の好適な実施形態の一例に係る第２のＷｅｂページサイトテーブルの一例を示す図である。サーバ２０は、この第２のＷｅｂページサイトテーブルを記憶部２４０に記憶しており、端末１０からの要求に応じて参照し、該当するデータを抽出して送信する。
【００６５】
図５の例では、それぞれのキーワードについて解説、口コミ情報等の「カテゴリー」、それぞれのカテゴリー毎の優先順位に基づく「順位」、それぞれのカテゴリーが表示される画面に表示される「広告データ」が記憶部２４０に記憶されている。例えば、キーワード「光ファイバー」では、当該用語の解説データ「Ｆｉｌｅ．Ａ１」が、順位「１番」で、前記解説が表示される画面には、「Ｆｉｌｅ．ＡＡ１」の広告データが同時に表示される。前記広告データは、例えばバナー広告のように、前記第２のＷｅｂページ内に表示されるものでも、リンク等により関連つけられた別のデータを表示するための広告でもよい。図６の例では、図５のテーブルにおいて、「光ファイバー」に係る「解説」が優先順位１番であるため、「光ファイバー」にかかる解説文（「［光ファイバー］とは・・・のことである。」）と前記「Ｆｉｌｅ．ＡＡ１」に対応する広告６３７が、第２のＷｅｂページ６３０に表示される。また、前記解説データ等のファイル名に代えて例えばテキスト形式の前記解説文でもよいし、広告６３７のデータに代えて当該広告データのＷｅｂページアドレスが表示されるように、前記「Ｆｉｌｅ．ＡＡ１」に代えて前記広告データのＷｅｂページアドレスが入力されてもよい。前記広告データのＷｅｂページアドレスが表示される場合には、サーバ２０は、後述する広告データ２４５ｄを記憶しなくてもよく、閲覧者が前記前記広告データのＷｅｂページアドレスをマウスクリック等により選択した場合、端末１０は当該広告データのＷｅｂページアドレスにアクセスし、広告データを表示してもよい。
【００６６】
カテゴリー毎の優先順位のうち、「１番」のものが「デフォルト」となってよい。従って、例えば、キーワード「光ファイバー」でのデフォルト画面は、「解説」、キーワード「メジャーリーグ」でのデフォルト画面は「口コミ」、キーワード「三角合併」でのデフォルト画面は「投資情報」であってよい。ここで、優先順位に基づく順位は、端末１０又はサーバ２０における実績データに基づいて付与されてもよい。すなわち、端末１０の記憶部１４０、サーバ２０の記憶部２４、外部プロパティサーバ４０の記憶部４４０に記憶された検索履歴、閲覧履歴、キーワードの発現頻度等により決定することができる。
【００６７】
なお、第２のＷｅｂページを表示することなく、広告データを表示することもできる。この場合には、サーバ２０において任意に設定することにより、優先順位に基づくカテゴリーに関連付けられた広告データのみを端末１０に表示する。この場合、次のステップＳ４３０、ステップＳ４３５及びステップＳ４４０が実行されなくてもよい。
【００６８】
ステップＳ４３０において、端末１０の制御部１１０は、表示部１３０に第２のＷｅｂページ６３０を表示する。
【００６９】
ステップＳ４３５において、閲覧者がマウスオーバーやクリックによりリンク表示６３７を選択すると、端末１０の制御部１１０は、ステップＳ４４０に移行する。また、前記要求がない場合には、ステップＳ４３５の処理に戻り、前記要求の入力を待つ。なお、第２のＷｅｂページに表示された広告が、リンク等に関連つけられたデータを有さない場合は、当該ステップが実行されなくてもよい。
【００７０】
ステップＳ４４０において、端末１０の制御部１１０は、前記ステップＳ４３５の処理に基づいて、サーバ２０に対し広告データを要求する。
【００７１】
ステップＳ４６０において、サーバ２０の制御部２１０は、記憶部２４０の第２のＷｅｂページプロパティデータ２４５中に記憶された広告データ２４５ｄ（図５の例では「Ｆｉｌｅ．ＡＡ１」に関するデータ）を端末１０に送信する。
【００７２】
ステップＳ４４５において、端末１０の制御部１１０は、表示部１３０に広告画面６５０を表示する。
【００７３】
〔サーバ２０がポータルサイトを有する態様〕
他の実施形態として、端末１０が、所定のタイミングで、サーバ２０が有するポータルサイト等にアクセスし、前記ポータルサイト中に表示されるニュース、企業情報、ブログ等のサイトの種類の見出しをマウスオーバーやクリックによって選択することにより、第１のＷｅｂページのサイトのリストが表示されてもよい。
【００７４】
この場合は、サーバ２０は、図７に示すページデータサイトテーブルをサイトの種類の見出し毎に記憶部２４０に記憶し、端末１０からの要求に応じて参照し、該当するデータを抽出して送信する。
【００７５】
図７の例では、カテゴリーが「ニュース」のサイトは、サイト１、サイト２の順に「ｈｔｔｐ：／／ｗｗｗ．ｓｉｔｅ１．ｃｏｍ」、「ｈｔｔｐ：／／ｗｗｗ．ｓｉｔｅ２．ｃｏｍ」として記憶部２４０に記憶されている。また、サイトの種類の見出しが「企業情報」のサイトは、同様に「ｈｔｔｐ：／／ｗｗｗ．ｓｉｔｅ１１．ｃｏｍ」、「ｈｔｔｐ：／／ｗｗｗ．ｓｉｔｅ２１．ｃｏｍ」として記憶部２４０に記憶されている。端末１０は、前記サイトをブラウザ等により表示し、閲覧者がマウスオーバーやクリックにより選択すると、外部プロパティサーバから第１のＷｅｂページデータに関するデータとして端末１０に読み込み、表示する。
【００７６】
〔その他の実施形態について〕
本発明の好適な実施形態の別の一例に係る表示画面の一例を図８（ａ）、（ｂ）、（ｃ）に示す。
【００７７】
図８（ａ）は、本発明の好適な実施形態の別の一例に係るサーバ２０にキーワード等を入力する画面の一例を示す図である。この画面は、端末１０に表示する表示画面の一例を示す図である。
【００７８】
サーバ２０の管理者等は、画面８００にキーワード、キーワードを説明する文章（解説データ：第２のＷｅｂページ）、広告等の文言のＰＲ（広告データ）、及び広告が表示されるＷｅｂページのアドレス等を入力し、前記第２のＷｅｂページプロパティデータ２４５として記憶部２４０に予め記憶してよい。図８（ａ）では、キーワードは「七五三」８１０であって、キーワードを説明する文章（解説データ）の例は「七五三とは・・・」８１２、広告等の文言のＰＲ（広告データ）の例は「記念撮影は、ＡＢＣ写真館へ」８１４、広告が表示されるＷｅｂページのＵＲＬの例は「ｗｗｗ．○○○．ｃｏｍ」８１５である。例えば、図８（ａ）に示すデータを用いて、図４にて説明した広告表示処理により端末１０が第１のＷｅｂページを読み込み表示した例を示す図が図８（ｂ）である。
【００７９】
図８（ｂ）は、本発明の好適な実施形態の別の一例に係る端末１０の表示する第１のＷｅｂページ表示画面の一例を示す図である。
【００８０】
端末１０が、例えば、「○○○ニュース．ｃｏｍ」なるＷｅｂページにアクセスし、第１のＷｅｂページ８２０を表示すると、本発明の方法によりサーバ２０は、前記第１のＷｅｂページ８２０中に「七五三」の文字列を検索し、登録されたキーワードにリンク等の関連付けを表示する。ここでは、前記前記第１のＷｅｂページ８２０中の文字列のうち、キーワード「七五三」８１０にリンクを表示する。ユーザーが、端末１０をマウスクリック、マウスオーバーしたことに応じて、端末１０が、前記リンクを選択したと判断し、サーバ２０は、図８（ｃ）に示す第２のＷｅｂページ８３０を端末１０に表示させる。
【００８１】
図８（ｃ）は、本発明の好適な実施形態の別の一例に係る端末１０の表示する第２のＷｅｂページ表示画面の一例を示す図である。
【００８２】
図８（ｃ）では、端末１０は、前記操作により選択されたキーワードである「七五三」の解説データである「七五三とは・・・」８１２に加え、広告データである「記念撮影は、ＡＢＣ写真館へ」８１４が表示され、さらに、広告が表示されるＷｅｂページのＵＲＬである「ｗｗｗ．○○○．ｃｏｍ」８１５を表示する。端末１０は、前記ＵＲＬである「ｗｗｗ．○○○．ｃｏｍ」８１５を選択することに応じて、前記ＵＲＬにアクセスし、「ｗｗｗ．○○○．ｃｏｍ」のＷｅｂページを表示する。本態様においては、ＷｅｂページのＵＲＬである「ｗｗｗ．○○○．ｃｏｍ」８１５を表示する態様で説明したが、このような表示がなく、文章や画像にリンクが設定され「ｗｗｗ．○○○．ｃｏｍ」のアドレスに対応した画像や文章が表示される態様であってもよい。
【００８３】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００８４】
【図１】本発明の好適な実施形態の一例に係るシステムの全体構成を示す図である。
【図２】本発明の好適な実施形態の一例に係る端末１０、サーバ２０及び外部プロパティサーバ４０のハードウェア構成を示す図である。
【図３】本発明の好適な実施形態の一例に係るシステムの機能構成を示す図である。
【図４】本発明の好適な実施形態の一例に係る広告表示処理を示すフローチャートである。
【図５】本発明の好適な実施形態の一例に係る第２のＷｅｂページデータに係るサイトテーブルの一例を示す図である。
【図６】本発明の好適な実施形態の一例に係る端末１０の表示する表示画面の一例を示す図である。
【図７】本発明の別の実施形態の一例に係るＷｅｂページを表示するためのサイトテーブルの一例を示す図である。
【図８】本発明の好適な実施形態の一例に係る端末１０に表示する表示画面の一例を示す図である。
【符号の説明】
【００８５】
１    広告データ表示システム
１０  端末
２０  サーバ
３０  通信ネットワーク
４０、４０ａ、４０ｂ、４０ｃ  外部プロパティサーバ
１１０、２１０、４１０  制御部
１２０、２２０、４２０  入力部
１３０、２３０、４３０  表示部
１４０、２４０、４４０  記憶部
１５０、２５０、４５０  通信インターフェイス部
１６０、２６０、４６０  バス
【図１】
2009163388.tif 000003
【図２】
2009163388.tif 000004
【図３】
2009163388.tif 000005
【図４】
2009163388.tif 000006
【図５】
2009163388.tif 000007
【図６】
2009163388.tif 000008
【図７】
2009163388.tif 000009
【図８】
2009163388.tif 000010